(57)【要約】【課題】自然な風合いを表現した画像を生成する。【解決手段】画像データを表示するとともに、表示された画像データへの編集操作を受け付ける操作部１４と、所定の穿孔径で仮想穿孔された版の画像データを仮想製版画像として生成し、この仮想製版画像を操作表示手段に表示させる仮想製版画像生成手段１１ａと、仮想製版画像上に仮想インクを塗布する仮想インク塗布手段１１ｂと、仮想インク塗布手段１１ｂにより仮想インクが塗布された仮想製版画像と設定された画像生成条件とに基づいて、仮想製版画像における仮想穿孔された孔の内部及び周囲領域の色を塗布された仮想インクの色で置換することにより印刷画像を生成する印刷画像生成手段１１ｃとを備える。【選択図】図１
2015066754.tif 000002
【特許請求の範囲】
【請求項１】
画像データを表示するとともに、表示された画像データへの編集操作を受け付ける操作表示手段と、
所定の穿孔径で仮想穿孔された版の画像データを仮想製版画像として生成し、この仮想製版画像を前記操作表示手段に表示させる仮想製版画像生成手段と、
前記仮想製版画像上に仮想インクを塗布する仮想インク塗布手段と、
前記仮想インク塗布手段により仮想インクが塗布された前記仮想製版画像と設定された画像生成条件とに基づいて、前記仮想製版画像における前記仮想穿孔された孔の内部及び周囲領域の色を前記塗布された仮想インクの色で置換することにより印刷画像を生成する印刷画像生成手段と、
を備えたことを特徴とする画像生成装置。
【発明の詳細な説明】
【技術分野】
【０００１】
本発明は、自然な風合いを表現した画像を生成することができる画像生成装置に関する。
【背景技術】
【０００２】
従来から、はがき等の用紙に画像を印刷する印刷装置として、手動押圧式の孔版印刷装置が普及している。この手動押圧式の孔版印刷装置は、画像データに基づいて穿孔されたフィルム（孔版）にインクが塗布され、この塗布されたインクが孔から押し出されることにより、孔版の下方に配置されたはがき等の用紙に画像を印刷する（例えば、特許文献１参照）。
【０００３】
このように、手動押圧式の孔版印刷装置は、孔版を用いてはがきにインクを塗布するので、インクの量、印刷時の押圧力、孔版の劣化等によって、印刷された印刷物は、１枚１枚仕上がり具合が異なっている。反面このことは自然な風合いを表現することにもなっている。
【０００４】
一方、手動押圧式の孔版印刷装置では、孔版にインクを塗布する作業など人手による作業が多くユーザにとって印刷作業が煩わしいという問題があった。また、一般的なインクジェットプリンタ等と比較すると生産性が低いという問題があった。
【０００５】
そのため、作業性や生産性が高く、かつ自然な風合いを表現できる画像生成装置が切望されていた。
【０００６】
特許文献２には、文字列の色と文字列の背景の色とを１枚毎に異なる配色の組み合わせとして決定し、その決められた色でテープに印刷するテープ印刷装置に関する技術が提案されている。
【先行技術文献】
【特許文献】
【０００７】
【特許文献１】特開平９−２２０８００号公報
【特許文献２】特開２００１−７１５６８号公報
【発明の概要】
【発明が解決しようとする課題】
【０００８】
しかしながら、前述の特許文献２に記載のテープ印刷装置では、文字列の色と文字列の背景の色とを１枚毎に異なる配色の組み合わせとして決定している、すなわち配色を変更しているだけであるため、自然な風合いを持った印刷物を得ることはできなかった。
【０００９】
本発明は、以上のような問題に鑑みてなされたものであり、自然な風合いを表現した画像を生成することができる画像生成装置を提供することを目的とする。
【課題を解決するための手段】
【００１０】
上記課題を解決するため、本発明に係る画像生成装置の第１の特徴は、画像データを表示するとともに、表示された画像データへの編集操作を受け付ける操作表示手段と、所定の穿孔径で仮想穿孔された版の画像データを仮想製版画像として生成し、この仮想製版画像を前記操作表示手段に表示させる仮想製版画像生成手段と、前記仮想製版画像上に仮想インクを塗布する仮想インク塗布手段と、前記仮想インク塗布手段により仮想インクが塗布された前記仮想製版画像と設定された画像生成条件とに基づいて、前記仮想製版画像における前記仮想穿孔された孔の内部及び周囲領域の色を前記塗布された仮想インクの色で置換することにより印刷画像を生成する印刷画像生成手段と、を備えたことにある。
【００１１】
また、上記画像生成装置に、前記画像生成条件を１つの印刷画像毎に変更する画像生成条件変更手段を備えさせても良い。
【発明の効果】
【００１２】
本発明に係る画像生成装置の第１の特徴によれば、画像データを表示するとともに、表示された画像データへの編集操作を受け付ける操作表示手段と、所定の穿孔径で仮想穿孔された版の画像データを仮想製版画像として生成し、この仮想製版画像を操作表示手段に表示させる仮想製版画像生成手段と、外部入力に基づいて、仮想製版画像上に仮想インクを塗布する仮想インク塗布手段と、仮想インク塗布手段により仮想インクが塗布された仮想製版画像と設定された画像生成条件とに基づいて、仮想製版画像における仮想穿孔された孔の内部及び周囲領域の色を塗布された仮想インクの色で置換することにより印刷画像を生成する印刷画像生成手段とを備えたので、仮想インクの色で置換される周囲領域によって、通常の印刷時に生じる用紙上のにじみを表現することが可能となり、自然な風合いを表現した画像を生成することができる。
【００１３】
また、画像生成条件変更手段を備える場合には、画像生成条件を１つの印刷画像毎に変更するので、１つずつ仕上がり具合が異なる自然な風合いを持った印刷画像を生成することができる。
【図面の簡単な説明】
【００１４】
【図１】本発明の一実施例である携帯端末を含む印刷システムの構成を示すブロック図である。
【図２】操作パネル部を含む携帯端末の前面を示した図である。
【図３】本発明の一実施例である携帯端末の処理手順を示したフローチャートである。
【図４】本発明の一実施例である携帯端末１において、ユーザにより製版キーがタッチ操作された場合に操作パネル部上に表示される製版画面の一例を示した図である。
【図５】本発明の一実施例である携帯端末１において、ユーザにより印刷キーがタッチ操作された場合に操作パネル部上に表示される印刷画面の一例を示した図である。
【発明を実施するための形態】
【００１５】
以下、本発明に係る画像生成装置の実施の形態について説明する。
【００１６】
＜印刷システムの構成＞
図１は、本発明の一実施例である携帯端末（画像生成装置）を含む印刷システムの構成を示すブロック図である。
【００１７】
図１に示すように、印刷システム１０は、通信基地局９を介してネットワーク３に接続する本発明の一実施例である携帯端末１と、プリンタや複合機等の印刷装置２と、ネットワーク３に接続された端末４とを備えている。
【００１８】
端末４は、図示しないＣＰＵやメモリ、ＨＤＤ、表示部、ネットワークＩ／Ｆ部等を備えており、端末４で作成した印刷画像を含む印刷ジョブをネットワーク３を介し印刷装置２に対し送信する。
【００１９】
印刷装置２は、図示しない給紙部や、用紙搬送部、印刷部、排紙部等を有しており、本発明の一実施例である携帯端末１や端末４からの指示に基づいて、印刷処理を実行する。なお、印刷装置２のタイプは、どのようなものであってもよく、ライン単位で印刷を行うインクジェット方式のラインカラープリンタ、シリアルヘッドで印刷を行うインクジェット方式のシリアルプリンタ、レーザ方式のプリンタ、又は孔版印刷方式のプリンタ等様々なタイプのものが適用できる。
【００２０】
携帯端末１は、印刷プログラムを実行することにより、スクリーン印刷装置で印刷されたような自然な風合いを表現した印刷画像を生成する。ここで、スクリーン印刷装置とは、画像データに基づいて穿孔されたスクリーン版にインクが塗布され、この塗布されたインクが孔から押し出されることにより、スクリーン版の下方に配置されたはがき等の用紙に画像を印刷する印刷装置である。
【００２１】
携帯端末１は、ＣＰＵ１１と、記憶部１２と、生成した印刷画像を通信基地局９を介して印刷装置２に送信する通信インタフェース部１３と、操作パネル部１４とを備えている。
【００２２】
記憶部１２は、メモリやＨＤＤ等を有しており、ＣＰＵ１１が実行する画像生成プログラムや、画像生成プログラムを実行する上で必要な各種データが記憶されている。
【００２３】
ＣＰＵ１１は、記憶部１２に記憶された画像生成プログラムを実行することにより、仮想製版画像生成手段１１ａと、仮想インク塗布手段１１ｂと、印刷画像生成手段１１ｃと、印刷生成条件変更手段１１ｄとを備える。
【００２４】
仮想製版画像生成手段１１ａは、所定の穿孔径で穿孔された版の画像を仮想製版画像として生成する。
【００２５】
仮想インク塗布手段１１ｂは、操作パネル部１４からのユーザ操作に基づいて、仮想製版画像上に指定の範囲で仮想インクが塗布された仮想インク塗布画像を生成する。
【００２６】
印刷画像生成手段１１ｃは、仮想製版画像と仮想インク塗布画像と設定された画像生成条件とに基づいて、仮想製版画像における穿孔された孔の内部及び周囲領域の色を塗布された仮想インクの色で置換することにより印刷画像を生成する。
【００２７】
印刷生成条件変更手段１１ｄは、画像生成条件を１つの印刷画像毎に変更する。例えば、印刷生成条件変更手段１１ｄは、１つの印刷画像毎に、仮想インクの濃度を高く、穿孔された孔の周囲領域の大きさが大きく、及び他色との混色度合いが広がるように、画像生成条件を変更する。
【００２８】
操作パネル部１４は、ユーザの操作を受け付けると共に、各種画面を表示する。
【００２９】
図２は、操作パネル部１４を含む携帯端末１の前面を示した図である。
【００３０】
図２に示すように、操作パネル部１４は、前面に配置された感圧式あるいは静電式の透明なタッチパネルと、このタッチパネルの裏面に配置され、各種表示画面を表示する液晶表示パネルとを有している。利用者は、液晶表示パネルの表示画面を見ながら、タッチパネルの表面を指などで直接触れることで、表示画面上に表示された各種キー操作を行うことができる。
【００３１】
操作パネル部１４は、版のデザインを生成するデザイン画面へ遷移するデザインキー１０１と、仮想製版画像上に指定の範囲で仮想インクを塗布した仮想インク塗布画像を生成するための製版画面に遷移するための製版キー１０２と、印刷画像を生成するための印刷画面へ遷移するための印刷キー１０３とを有している。
【００３２】
図２に示した図では、ユーザによって、デザインキー１０１がタッチ操作されてデザイン画面が表示された操作パネル部１４の例を示している。
【００３３】
ユーザによって、デザインキー１０１がタッチ操作されると、操作パネル部１４には、生成される製版デザインを表示する製版デザイン表示エリア１１０と、各種の線描画するモードに切り替えるためのペンキー１２１と、文字入力するモードに切り替えるための文字キー１２３と、読み出した画像を表示するモードに切り替えるための画像キー１２３と、製版デザイン表示エリア１１０に表示された画像を編集モードに切り替える編集キー１２５とが表示される。
【００３４】
ユーザは、デザインキー１０１をタッチ操作し、操作パネル部１４にデザイン画面を表示させた後、製版デザイン表示エリア１１０に表示される画像を編集するために、編集キー１２５をタッチ操作する。これにより、編集モードに切り替わる。
【００３５】
そして、ユーザは、ペンキー１２１、文字キー１２３、又は画像キー１２３をタッチ操作して製版デザイン表示エリア１１０に表示される画像に対して、好みの画像を描画する。仮想製版画像生成手段１１ａは、製版デザイン表示エリア１１０上に、描画された画像に基づいて、所定の穿孔径で穿孔された版の画像を仮想製版画像として生成する。
【００３６】
＜携帯端末１の作用＞
次に、本発明の一実施例である携帯端末１の作用について説明する。
【００３７】
図３は、本発明の一実施例である携帯端末１の処理手順を示したフローチャートである。
【００３８】
図３に示すように、まず、携帯端末１は、製版デザインを生成する（Ｓ１０１）。具体的には、ユーザが、上述した操作パネル部１４のデザインキー１０１をタッチ操作し、操作パネル部１４にデザイン画面を表示させた後、製版デザイン表示エリア１１０に表示される画像を編集するために、編集キー１２５をタッチ操作する。これにより、編集モードに切り替わる。
【００３９】
そして、ユーザは、ペンキー１２１、文字キー１２３、又は画像キー１２３をタッチ操作して製版デザイン表示エリア１１０に表示される画像に対して、好みの画像を描画する。これにより、製版デザイン表示エリア１１０上には、製版デザインとして、所定の穿孔径で穿孔された版の画像である仮想製版画像が生成される。ここでは、文字キー１２３をタッチ操作することにより「あけましておめでとうございます」と入力された文字画像１１１と、ペンキー１２１をタッチ操作して塗りつぶす操作をすることにより入力された３つの楕円形の画像１１２とが描画されている。これにより、文字画像１１１及び画像１１２の内部が、所定の穿孔径で穿孔された仮想製版画像として生成される。
【００４０】
次に、ユーザにより製版キー１０２がタッチ操作されると（Ｓ１０３）、印刷生成条件変更手段１１ｄは、仮想穿孔径を設定する（Ｓ１０５）。仮想穿孔径とは、仮想製版に穿孔された仮想孔の径である。そこで、この仮想穿孔径が大きいほど仮想製版を通過する仮想インクの量が多くなり印字される画像の濃度が濃くなると仮定し、画像生成条件の１つである濃度設定値を設定する。ここでは、印刷生成条件変更手段１１ｄは、予め定められた濃度基準値に“ａ”（％）だけ加算又は減算した値を濃度設定値として設定する。
【００４１】
そして、ユーザが仮想インクを配置する（Ｓ１０７）。
【００４２】
図４は、本発明の一実施例である携帯端末１において、ユーザにより製版キー１０２がタッチ操作された場合に操作パネル部１４上に表示される製版画面の一例を示した図である。
【００４３】
図４に示すように、ユーザによって、製版キー１０２がタッチ操作されると、操作パネル部１４には、仮想製版画像上に指定の範囲で仮想インクが塗布された仮想インク塗布画像を表示する仮想インク塗布画像表示エリア１４０と、複数の仮想インクのサンプル色１３１ａ〜１３１ｇを示すインクパレット１３１とが表示される。
【００４４】
ユーザは、インクパレット１３１のサンプル色１３１ａ〜１３１ｇのいずれかをタッチ操作してサンプル色を選択した後、仮想インク塗布画像表示エリア１４０上で指をタッチしながらスライドさせることで、文字画像１１１や画像１１２に重ねるように、指定の範囲で仮想インクを塗布させる。
【００４５】
図４に示した例では、文字画像１１１上に重ねるように多数の色の仮想インクが塗布されたインク塗布領域１４１と、画像１１２上に重ねるように多数の色の仮想インクが塗布されたインク塗布領域１４２とが描画される。
【００４６】
図３に戻り、上述したように、仮想インク塗布画像表示エリア１４０上に仮想インクが塗布されると、仮想インク塗布手段１１ｂは、デザインの配色設定を行う（Ｓ１０９）。ここでは、仮想インク塗布手段１１ｂは、予め定められたサイズ基準値を画像生成条件の１つであるサイズ設定値として設定すると共に、予め定められたグラデーション基準値を画像生成条件の１つであるグラデーション設定値として設定する。ここで、サイズとは、生成される印刷画像における孔に対応する画像の広がりの大きさである。上述したように、印刷画像は、仮想製版画像における穿孔された孔の内部及び周囲領域の色を塗布された仮想インクの色で置換することにより生成される。そのため、仮想製版画像における穿孔された孔の内部及び周囲領域の大きさがサイズとなる。また、グラデーションとは、他色との混色度合いのことをいう。グラデーション設定値が高い程、他色との混合度合いが高いのでそのぶん混ざりやすいことになる。
【００４７】
次に、印刷生成条件変更手段１１ｄは、生成される印刷画像が２枚目以降か否かを判定し（Ｓ１１１）、生成される印刷画像が２枚目以降と判定された場合（ＹＥＳの場合）、印刷画面において、押圧キーがタッチ操作されたか否かを判定する（Ｓ１１３）。なお、ステップＳ１１１において、生成される印刷画像が１枚目であると判定された場合（ＮＯの場合）、比較元となる印刷画像がまだ生成されていない１枚目について、ステップＳ１１３〜Ｓ１２１の処理がスキップされる。
【００４８】
図５は、本発明の一実施例である携帯端末１において、ユーザにより印刷キー１０３がタッチ操作された場合に操作パネル部１４上に表示される印刷画面の一例を示した図である。
【００４９】
図５に示すように、ユーザによって、印刷キー１０３がタッチ操作されると、操作パネル部１４には、印刷画像を表示する印刷画像表示エリア１５０と、接続された印刷装置２に、１枚のみ印刷させる試し刷り印刷を実行させる試し刷りキー１６１と、仮想の押圧を変更させる、即ちインクの濃度変更モード及びサイズ変更モードに切り替えるための押圧キー１６２と、仮想の押圧を高くする、即ち、インクの濃度を濃くすると共に画像の広がりサイズを大きくする高キー１６３と、仮想の押圧を低くする、即ち、インクの濃度を薄くすると共に画像の広がりサイズを小さくする低キー１６４とが表示される。
【００５０】
ユーザの操作により、押圧キー１６２がタッチ操作され（Ｓ１１３；ＹＥＳ）、高キー１６３がタッチ操作されると（Ｓ１１５；ＹＥＳ）、印刷生成条件変更手段１１ｄは、仮想押圧設定を行う（Ｓ１１７）。ここでは、印刷生成条件変更手段１１ｄは、予め定められた濃度基準値に“ａ”（％）だけ加算又は減算した値に、さらに“ｂ”（％）だけ加算した値を濃度設定値として設定する。また、印刷生成条件変更手段１１ｄは、予め定められたサイズ基準値に“ａ”（％）だけ加算又は減算した値に、さらに“ｂ”（％）だけ加算した値をサイズ設定値として設定する。これにより、濃度設定値及びサイズ設定値が大きくなるので、画像の濃度が濃く、画像の広がりが大きくなる。
【００５１】
一方、低キー１６４がタッチ操作されると（Ｓ１１９；ＹＥＳ）、印刷生成条件変更手段１１ｄは、仮想押圧設定を行う（Ｓ１２１）。ここでは、印刷生成条件変更手段１１ｄは、予め定められた濃度基準値に“ａ”（％）だけ加算又は減算した値に、さらに“ｂ”（％）だけ減算した値を濃度設定値として設定する。また、印刷生成条件変更手段１１ｄは、予め定められたサイズ基準値に“ａ”（％）だけ加算又は減算した値に、さらに“ｂ”（％）だけ減算した値をサイズ設定値として設定する。これにより、濃度設定値及びサイズ設定値が小さくなるので、画像の濃度が薄く、画像の広がりが小さくなる。
【００５２】
そして、ユーザの操作により、印刷キー１０３または試し刷りキー１６１がタッチ操作されると（Ｓ１２３）、印刷生成条件変更手段１１ｄは、ランダム機能が有効か否かを判定する（Ｓ１２５）。ここで、生成される印刷画像が１枚目の場合、製版画面には試し刷りキー１６１が設けられていない。そのため、印刷キー１０３を押下することで、印刷画面に遷移する。一方、生成される印刷画像が２枚目以降の場合、印刷キー１０３の押下操作または試し刷りキー１６１の押下操作により、印刷画面に遷移して１枚分を生成する。なお、一括生成機能がオンされている場合、印刷キー１０３が押下されると、所定枚数分が一括生成される。
【００５３】
ステップＳ１２５において、ランダム機能が有効と判定された場合（ＹＥＳの場合）、印刷生成条件変更手段１１ｄは、ランダム設定を行う（Ｓ１２７）。ランダム設定では、印刷画像の仕上がり具合を、１枚１枚異なるようにするために、所定の範囲で乱数を用いてばらつきを表現する。ここでは、印刷生成条件変更手段１１ｄは、予め定められた濃度基準値に“ａ”（％）及び“ｂ”（％）だけ加算又は減算した値に、さらに、乱数に基づいて設定したｃ（％）を加算又は減算した値を濃度設定値として設定する。また、印刷生成条件変更手段１１ｄは、予め定められたサイズ基準値に“ａ”（％）及び“ｂ”（％）だけ加算又は減算した値に、さらに、乱数に基づいて設定したｃ（％）を加算又は減算した値をサイズ設定値として設定する。さらに、印刷生成条件変更手段１１ｄは、予め定められたグラデーション基準値に“ａ”（％）及び“ｂ”（％）だけ加算又は減算した値に、さらに、乱数に基づいて設定したｃ（％）を加算又は減算した値をグラデーション設定値として設定する。これにより、印刷画像の仕上がり具合を、１枚１枚異なるようにすることができる。
【００５４】
次に、印刷生成条件変更手段１１ｄは、経時劣化機能が有効か否かを判定する（Ｓ１２９）。
【００５５】
ステップＳ１２９において、経時劣化機能が有効と判定された場合（ＹＥＳの場合）、印刷生成条件変更手段１１ｄは、経時劣化設定を行う（Ｓ１２７）。経時劣化設定では、版やインクの変化を模擬するために、所定の劣化係数を用いて経時劣化を表現する。版が劣化すると、穿孔径が大きくなるので、版を通過するインク量が増加する。そこで、これを模擬するために、濃度を高くすると共に画像の広がりを大きくする。また、インク量が増加すると、他のインクと混ざりやすくなるので、これを模擬するためグラデーションし易くなるように調整する。ここでは、印刷生成条件変更手段１１ｄは、予め定められた濃度基準値に“ａ”（％）及び“ｂ”（％）だけ加算又は減算した値に、さらに、所定の劣化係数として設定したｄ（％）を加算した値を濃度設定値として設定する。また、印刷生成条件変更手段１１ｄは、予め定められたサイズ基準値に“ａ”（％）及び“ｂ”（％）だけ加算又は減算した値に、さらに、所定の劣化係数として設定したｄ（％）を加算した値をサイズ設定値として設定する。さらに、印刷生成条件変更手段１１ｄは、予め定められたグラデーション基準値に“ａ”（％）及び“ｂ”（％）だけ加算又は減算した値に、さらに、所定の劣化係数として設定したｄ（％）を加算した値をグラデーション設定値として設定する。これにより、版やインクの経時劣化を模擬することができる。
【００５６】
そして、印刷画像生成手段１１ｃは、設定された濃度設定値、サイズ基準値、及びグラデーション設定値に基づいて、印刷画像を生成する（Ｓ１３３）。具体的には、図５に示すように、印刷画像表示エリア１５０には、「あけましておめでとうございます」という文字が、図４に示したインク塗布領域１４１の仮想インクの色に応じて着色された文字画像１５１が表示されている。さらに、印刷画像表示エリア１５０には、図４に示したインク塗布領域１４２の仮想インクの色に応じて着色された画像１５２が表示されている。
【００５７】
このように、印刷画像表示エリア１５０には、設定された濃度設定値、サイズ基準値、及びグラデーション設定値に基づいて、仮想製版画像における穿孔された孔の内部及び周囲領域の色を塗布された仮想インクの色で置換することにより生成された印刷画像が表示されるので、仮想インクの色で置換される周囲領域によって、通常の印刷時に生じる用紙上のにじみを表現することが可能となり、自然な風合いを表現した画像を生成することができる。なお、異なる仮想インク色同士の周囲領域が共通する場合には、それぞれの色が重畳されることによってその境界部分における色の変化をグラデーションとして曖昧なものとすることができるため、さらに自然な風合いを表現した画像を生成することができる。
【００５８】
また、印刷画像生成手段１１ｃは、画像生成条件を１つの印刷画像毎に変更するので、生成する度に、印刷画像の仕上がり具合が異なることになる。そのため、自然な風合いを表現することができる。また、版やインクの変化を模擬するため、より自然な風合いを表現することができる。
【００５９】
携帯端末１は、スクリーン印刷装置を仮想的に模擬しているので、実際のスクリーン版を用いることはない。そのため、インクを塗布する作業など煩わしい作業を行うことなく、印刷画像を生成することができ、また、印刷自体は送信先である印刷装置２が行うので、スクリーン印刷装置で印刷する場合と比較して高い生産性を担保することができる。
【００６０】
なお、本発明の一実施例では、印刷画像を生成し、生成した印刷画像を印刷装置２へ送信する携帯端末１を例に挙げて説明したが、これに限らず、携帯端末１が、生成した印刷画像を他の携帯端末１や端末４に送信するようにしてもよい。このとき、１枚ずつ送信先を異なるようにして送信することも可能である。これにより、１枚１枚仕上がり具合が異なり自然な風合いが表現された印刷画像が各送信先に送信されるので、受信した端末のユーザは、非常に印象深い印刷画像であると感じることになる。
【００６１】
また、図３のフローチャートのステップＳ１１７、Ｓ１２１において、所定の“ａ”（％）及び“ｂ”（％）を用いて仮想押圧設定を行ったが、ステップＳ１１７、Ｓ１２１における“ａ”（％）及び“ｂ”（％）は、それぞれ同一の値を用いてもよいし、異なる値を用いてもよい。ステップＳ１２７，及びＳ１３１における“ａ”（％）及び“ｂ”（％）についても、同様に、それぞれ同一の値を用いてもよいし、異なる値を用いてもよい。
【００６２】
さらに、ステップＳ１２７，及びＳ１３１において、乱数に基づいて設定した“ｃ”（％）を用いて、濃度設定値を行ったが、ステップＳ１２７，及びＳ１３１における“ｃ”（％）は、それぞれ同一の値を用いてもよいし、ステップ毎に毎回乱数により設定するようにしてもよい。
【００６３】
なお、本発明の一実施例では、仮想製版画像生成手段１１ａと、仮想インク塗布手段１１ｂと、印刷画像生成手段１１ｃと、印刷生成条件変更手段１１ｄとを備えた携帯端末１を例に挙げて説明したが、携帯端末１に限らず、仮想製版画像生成手段１１ａと、仮想インク塗布手段１１ｂと、印刷画像生成手段１１ｃと、印刷生成条件変更手段１１ｄとが、ネットワーク３に接続されたコンピュータである端末４に備えられていてもよいし、印刷装置２に備えられていてもよい。
【符号の説明】
【００６４】
１…携帯端末
２…印刷装置
４…端末
９…通信基地局
１０…印刷システム
１１…ＣＰＵ
１１ａ…仮想製版画像生成手段
１１ｂ…仮想インク塗布手段
１１ｃ…印刷画像生成手段
１１ｄ…印刷生成条件変更手段
１２…記憶部
１３…通信インタフェース部
１４…操作パネル部
【図１】
2015066754.tif 000003
【図２】
2015066754.tif 000004
【図３】
2015066754.tif 000005
【図４】
2015066754.tif 000006
【図５】
2015066754.tif 000007